(57)【特許請求の範囲】
【請求項１】
防爆機器と、前記防爆機器内に収容した電気機器と電線類との接続箇所に設けた電線類や防爆機器の容器壁の貫通箇所に設けた電線類と、前記防爆機器の前記接続箇所や前記貫通箇所に設けられて前記電線類を保持する保持体と、前記電線類が貫通されて前記保持体に収納されるセラミック筒体と、前記保持体と前記セラミック筒体との間及び前記セラミック筒体と前記電線類との間に充填された耐熱性無機接着剤と、前記保持体に設けた内向き突起及びこれに係合するセラミック筒体に設けた外向き突起とから形成され、爆発方向へのセラミック筒体の移動を阻止する抜止手段と、から構成され、防爆機器並びに保持体とセラミック筒体と耐熱性無機接着剤とにより、防爆性を確保した事を特徴とする防爆固定装置。
【請求項２】
防爆機器は、防爆圧縮機であると共に、保持体は、防爆圧縮機の接続箇所に設けられた端子箱であり、電線類は、端子箱内の端子に接続される電線である請求項1に記載の防爆固定装置。
【請求項３】
防爆機器は、防爆ヒータであると共に、保持体は、防爆ヒータの接続箇所に設けられた端子箱であり、電線類は、端子箱内で接続される電線である請求項1に記載の防爆固定装置。
【請求項４】
防爆機器は、防爆制御盤であると共に、保持体は、防爆制御盤の貫通箇所に設けられたスイッチ類の筒本体であり、電線類は、筒本体内に貫通される電極である請求項1に記載の防爆固定装置。
【請求項５】
防爆機器は、防爆制御盤であると共に、保持体は、防爆制御盤の貫通箇所に設けられた表示灯類の筒本体であり、電線類は、筒本体内に貫通される発熱線条である請求項1に記載の防爆固定装置。
【発明の詳細な説明】
【技術分野】
【０００１】
本発明は、例えば防爆圧縮機や防爆ヒータや防爆制御盤等の防爆機器（防爆容器）に適用されて電線類を固定する際に用いられる防爆固定装置の改良に関する。
【背景技術】
【０００２】
従来、この種の防爆固定装置としては、例えば特許文献１に記載された防爆圧縮機の電線類の接続箇所に設けられた端子箱や防爆制御盤の電線類の貫通箇所に設けられたスイッチ類及び表示灯類や特許文献２に記載された防爆ヒータの電線類の接続箇所に設けられた端子箱に適用されたものが知られている。
【０００３】
当該防爆固定装置は、基本的には、防爆機器と、防爆機器の接続箇所や貫通箇所に設けられる電線類と、防爆機器に設けられて電線類を保持し得る保持体と、保持体と電線類との間に充填されて電線類を固定する為の合成樹脂体と、から構成されている。
【０００４】
この様なものは、保持体と電線類との間に充填された合成樹脂体に依り電線類を固定できると共に、防爆機能や絶縁機能を発揮する事ができる。
【先行技術文献】
【特許文献】
【０００５】
【特許文献１】特許第３４６９４１４号公報
【特許文献２】特許第４２３０４４６号公報
【発明の概要】
【発明が解決しようとする課題】
【０００６】
ところが、この様なものは、合成樹脂材料に依り作製された合成樹脂体を用いているので、電線類を確実に固定できるものの、紫外線に依る劣化が起生して耐候性に問題があり、防爆上の観点から使用が禁止されてしまい、改善が望まれていた。
【０００７】
本発明は、叙上の問題点に鑑み、これを解消する為に創案されたもので、その課題とする処は、電線類を確実に固定できると共に、それでいて紫外線に依る劣化の惧れがなく、防爆機能や絶縁機能を全うできる様にした防爆固定装置を提供するにある。
【課題を解決するための手段】
【０００８】
本願発明の防爆固定装置は、基本的には、上記着想と各種の試験結果をベースにして創作されたものであり、請求項１の発明は、防爆機器と、前記防爆機器内に収容した電気機器と電線類との接続箇所に設けられる電線類や防爆機器の容器壁の貫通箇所に設けられる電線類と、前記防爆機器の前記接続箇所や前記貫通箇所に設けられて前記電線類を保持し得る保持体と、前記電線類が貫通されて前記保持体に収納されるセラミック筒体と、前記保持体と前記セラミック筒体との間及び前記セラミック筒体と前記電線類との間に充填される耐熱性無機接着剤と、前記保持体に設けた内向き突起及びこれに係合するセラミック筒体に設けた外向き突起とから形成され、爆発方向へのセラミック筒体の移動を阻止する抜止手段と、から構成され、防爆機器並びに保持体とセラミック筒体と耐熱性無機接着剤とにより、防爆性を確保した事に特徴が存する。
【０００９】
防爆機器に設けられた保持体内には、セラミック筒体が収納されると共に、防爆機器の接続箇所や貫通箇所に設けられる電線類は、セラミック筒体に貫通される。そして、保持体とセラミック筒体との間やセラミック筒体と電線類との間には、耐熱性無機接着剤が充填される。
耐熱性無機接着剤が硬化されると、セラミック筒体と硬化した耐熱性無機接着剤に依り電線類が固定される。
セラミック筒体と耐熱性無機接着剤とを用いているので、保持体内の電線類を確実に固定できると共に、紫外線に依る劣化の惧れがなく、防爆機能や絶縁機能を損なう事がない。
【００１０】
保持体とセラミック筒体との間には、セラミック筒体の爆発方向への移動を阻止する抜止手段が設けられているのが好ましい。この様にすれば、防爆機器内での爆発に依りセラミック筒体が保持体から爆発方向へ抜け出ようとしても、抜止手段に依りこれが阻止される。従って、防爆機能が更に一層向上される。
【００１１】
抜止手段は、保持体に設けられた内向き突起と、セラミック筒体に設けられてこれの爆発方向への移動時に内向き突起に係合される外向き突起とを備えているのが好ましい。この様にすれば、簡単な構造に依り抜止手段を構成でき、コストも余り掛からない。
【００１２】
防爆機器は、防爆圧縮機であると共に、保持体は、防爆圧縮機の接続箇所に設けられた端子箱であり、電線類は、端子箱内の端子に接続される電線であるのが好ましい。この様にすれば、防爆圧縮機の接続箇所に設けられた端子箱内で電線を固定する事ができる。
【００１３】
防爆機器は、防爆ヒータであると共に、保持体は、防爆ヒータの接続箇所に設けられた端子箱であり、電線類は、端子箱内で接続される電線であるのが好ましい。この様にすれば、防爆ヒータの接続箇所に設けられた端子箱内で電線を固定する事ができる。
【００１４】
防爆機器は、防爆制御盤であると共に、保持体は、防爆制御盤の貫通箇所に設けられたスイッチ類の筒本体であり、電線類は、筒本体内に貫通される電極であるのが好ましい。この様にすれば、防爆制御盤の貫通箇所に設けられたスイッチ類の筒本体内で電極を固定する事ができる。
【００１５】
防爆機器は、防爆制御盤であると共に、保持体は、防爆制御盤の貫通箇所に設けられた表示灯類の筒本体であり、電線類は、筒本体内に貫通される発熱線条であるのが好ましい。この様にすれば、防爆制御盤の貫通箇所に設けられた表示灯類の筒本体内で発熱線条を固定する事ができる。
【発明の効果】
【００１６】
本発明に依れば、次の様な優れた効果を奏する事ができる。
（１）  防爆機器、電線類、保持体、セラミック筒体、耐熱性無機接着剤とで構成し、とりわけ電線類が貫通されて保持体に収納されるセラミック筒体と、保持体とセラミック筒体との間及びセラミック筒体と電線類との間に充填される耐熱性無機接着剤とを設けたので、電線類を確実に固定できると共に、それでいて紫外線に依る劣化の惧れがなく、防爆機能や絶縁機能を全うする事ができる。
（２）  保持体とセラミック筒体との間に、セラミック筒体の爆発方向への移動を阻止する抜止手段を設けた場合は、防爆機器内で爆発が発生しても、抜止手段に依り保持体からセラミック筒体が爆発方向へ抜け出るのが阻止される。従って、防爆機能が更に一層向上される。
【図面の簡単な説明】
【００１７】
【図１】本発明の第一例に係る防爆固定装置の概要を示す縦断面図。
【図２】図１の横断面図。
【図３】図１のセラミック筒体を示す斜視図。
【図４】本発明の第二例に係る防爆固定装置の概要を示す縦断面図。
【図５】図４の一方のセラミック筒体を示す斜視図。
【図６】本発明の第三例に係る防爆固定装置の概要を示す縦断面図。
【図７】本発明の第四例に係る防爆固定装置の概要を示す縦断面図。
【発明を実施するための形態】
【００１８】
以下、本発明の実施の形態を、図面に基づいて説明する。
図１乃至図３は、本発明の防爆固定装置の第一例を示している。
【００１９】
防爆固定装置１は、防爆機器２、電線類３、保持体４、セラミック筒体５、耐熱性無機接着剤６とからその主要部が構成されている。
【００２０】
防爆機器２は、防爆固定装置１の基本部分を為すもので、この例では、冷凍冷蔵装置等に用いられる防爆圧縮機（コンプレッサ）にしてある。
【００２１】
電線類３は、防爆機器２の接続箇所や貫通箇所に設けられるもので、この例では、防爆圧縮機２の接続箇所に設けられる電線（ケーブル）にしてあり、複数の芯線７を備えている。
【００２２】
保持体４は、防爆機器２に設けられて電線類３を保持し得るもので、この例では、防爆圧縮機２に設けられた端子箱にしてある。端子箱４は、直方体状を呈して居り、図略しているが一部が開閉可能に構成されていると共に、内部には、複数の電極を備えた端子（ハーメチックターミナル）８が設けられている。
【００２３】
セラミック筒体５は、電線類３が貫通されて保持体４に収納されるもので、この例では、耐熱性や絶縁性等に優れたセラミック材料に依り作製されていると共に、軸方向には、電線類３の芯線７の個数に呼応した一つ以上の貫孔９が形成されている。
セラミック筒体５は、基本形状が円柱状であり、貫孔９が一つの場合には、円筒状を為すと共に、貫孔９が複数の場合には、所謂蓮根状を為している。
【００２４】
耐熱性無機接着剤６は、保持体４とセラミック筒体５との間及びセラミック筒体５と電線類３との間に充填されるもので、この例では、酸やアルカリに影響がなく、耐熱性は勿論のこと、耐水性、電気絶縁性、気密性、作業性等にも優れた所謂セラミックセメントが用いられている。具体的な商品名では、東洋アソシエイツ社製の耐熱接着剤ＡＤ１０００やスリーボンド社製のスリーボンド３７３２耐熱性無機接着剤や東亞合成社製のアロンセラミック（耐熱性無機接着剤）等が挙げられる。
【００２５】
次に、この様な構成に基づいてその作用を述解する。
電線３は、基端部が防爆圧縮機２の端子箱４の一部を貫通されると共に、基端部から分かれた芯線７が端子箱４内に収納されたセラミック筒体５の貫孔９に貫通された後、各芯線７が端子８の電極に接続される。
この時、セラミック筒体５は、一端面が端子箱４内の端子７に当接されると共に、各貫孔９内には、電線３の芯線７と端子８の電極との接続部１０が位置される。
【００２６】
端子箱４の開閉可能な一部から耐熱性無機接着剤６が注入されて端子箱４とセラミック筒体５との間やセラミック筒体５と電線３との間に充填される。耐熱性無機接着剤６が充填されると、端子箱４の開閉可能な一部が閉じられる。
充填された耐熱性無機接着剤６が硬化すると、端子箱４内の電線３は、この硬化した耐熱性無機接着剤６とセラミック筒体５とに依り固定される。
【００２７】
セラミック筒体５と耐熱性無機接着剤６とを用いているので、端子箱４内の電線３を確実に固定できると共に、紫外線に依る劣化の惧れがなく、防爆機能や絶縁機能を損なう事がない。
【００２８】
次に、本発明の第二例を図４及び図５に基づいて説明する。
第二例は、防爆機器２を防爆ヒータ（シースヒータ）にすると共に、保持体４を防爆ヒータ２の接続箇所に設けられた端子箱にしてあり、電線類３を端子箱４内で接続される電線（ケーブル）にしたものである。
【００２９】
端子箱４は、防爆ヒータ２の長手方向の一側に連設されて居り、端子箱４内には、二つのセラミック筒体５が長手方向に所定の間隔を置いて配置されている。
一方のセラミック筒体５は、電線３の基端部を挿通する単一の貫孔９を備えていると共に、他方のセラミック筒体６は、電線３の基端部から分かれた芯線７を挿通する複数の貫孔９を備えている。各芯線７（サーモ線やアース線等を含む）には、ヒータ側の各リード線１１が接続されて居り、その接続部１２は、セラミック筒体５の貫孔９内に位置している。
【００３０】
而して、端子箱４とセラミック筒体５との間には、セラミック筒体５の爆発方向への移動を阻止する抜止手段１３が設けられている。
抜止手段１３は、端子箱４に設けられた内向き突起１４と、セラミック筒体５に設けられてこれの爆発方向への移動時に内向き突起１４に係合される外向き突起１５とを備えている。内向き突起１４と外向き突起１５は、円周方向に於て、等角度毎に部分的に形成されている。
【００３１】
端子箱４と各セラミック筒体５の外周との間及び各セラミック筒体５と電線３との間には、耐熱性無機接着剤６が充填される。
充填された耐熱性無機接着剤６が硬化すると、端子箱４内の電線３は、この硬化した耐熱性無機接着剤６と各セラミック筒体５とに依り固定される。
【００３２】
従って、この様なものは、第一例と同様に、セラミック筒体５と耐熱性無機接着剤６とを用いているので、端子箱４内の電線３を確実に固定できると共に、紫外線に依る劣化の惧れがなく、防爆機能や絶縁機能を損なう事がない。
加えて、防爆機器２内での爆発に依りセラミック筒体５が端子箱４から爆発方向へ抜け出ようとしても、抜止手段１３に依りこれが阻止される。従って、防爆機能が更に一層向上される。
【００３３】
次に、本発明の第三例を図６に基づいて説明する。
第三例は、防爆機器２を防爆制御盤にすると共に、保持体４を防爆制御盤２の貫通箇所に設けられたスイッチ類の筒本体にしてあり、電線類３を筒本体４内に貫通される電極にしたものである。
【００３４】
筒本体４は、外周に雄螺子を備えて居り、防爆制御盤２の外壁１６に形成された螺孔に螺合される事に依り取付けられる。
筒本体４内には、セラミック筒体５が設けられて居り、その貫孔９には、電極３が貫通されている。
筒本体４とセラミック筒体５との間には、第二例と同様に、内向き突起１４と外向き突起１５とを備えた抜止手段１３が設けられている。
【００３５】
筒本体４とセラミック筒体５との間及びセラミック筒体５と電極３との間には、耐熱性無機接着剤６が充填される。
充填された耐熱性無機接着剤６が硬化されると、筒本体４内の電極３は、この硬化した耐熱性無機接着剤６とセラミック筒体５とに依り固定される。
この様なものは、第二例と同様の作用効果を奏する事ができる。
【００３６】
次に、本発明の第四例を図７に基づいて説明する。
第四例は、防爆機器２を防爆制御盤にすると共に、保持体４を防爆制御盤２の貫通箇所に設けられた表示灯類の筒本体にしてあり、電線類３を筒本体４内に貫通される発熱線条にしたものである。
【００３７】
筒本体４は、外端部にガラスキャップ１７を備えていると共に、外周部に雄螺子を備えて居り、防爆制御盤２の外壁１６に形成された螺孔に螺合されると共に、内外のロックナット１８が雄螺子に螺合される事に依り取付けられる。
筒本体４内には、セラミック筒体５が設けられて居り、その貫孔９には、発熱線条（フィラメント）３が貫通されている。
筒本体４とセラミック筒体５との間には、第二例と同様に、内向き突起１４と外向き突起１５とを備えた抜止手段１３が設けられている。
【００３８】
筒本体４とセラミック筒体５との間及びセラミック筒体５と発熱線条３との間には、耐熱性無機接着剤６が充填される。
充填された耐熱性無機接着剤６が硬化されると、筒本体４内の発熱線条３は、この硬化した耐熱性無機接着剤６とセラミック筒体５とに依り固定される。
この様なものは、第二例と同様の作用効果を奏する事ができる。
【００３９】
尚、防爆機器２は、先の例では、防爆圧縮機や防爆ヒータや防爆制御盤であったが、これに限らず、例えばこれら以外のものでも良い。
電線類３は、先の例では、電線や電極や発熱線条であったが、これに限らず、例えばこれら以外のものでも良い。
保持体４は、先の例では、端子箱や筒本体であったが、これに限らず、例えばこれら以外でも良い。
セラミック筒体５は、先の例では、基本形状が円柱状であったが、これに限らず、例えば角柱状等でも良い。
耐熱性無機接着剤６は、先の例では、所謂セラミックセメントであったが、これに限らず、例えば同機能を有する他のものでも良い。
抜止手段１３は、先の例では、内向き突起１４と外向き突起１５とで構成したが、これに限らず、例えば保持体４に設けられた内周溝と、これに着脱可能に嵌合されてセラミック筒体５の端面に当合し得る止輪とで構成しても良い。
【符号の説明】
【００４０】
１…防爆固定装置、２…防爆機器（防爆圧縮機、防爆ヒータ、防爆制御盤）、３…電線類（電線、電極、発熱線条）、４…保持体（端子箱、筒本体）、５…セラミック筒体、６…耐熱性無機接着剤、７…芯線、８…端子、９…貫孔、１０…接続部、１１…リード線、１２…接続部、１３…抜止手段、１４…内向き突起、１５…外向き突起、１６…外壁、１７…ガラスキャップ、１８…ロックナット。
【図１】
0005662780.tif 000002
【図２】
0005662780.tif 000003
【図３】
0005662780.tif 000004
【図４】
0005662780.tif 000005
【図５】
0005662780.tif 000006
【図６】
0005662780.tif 000007
【図７】
0005662780.tif 000008